(57)【特許請求の範囲】
【請求項１】
被写体像を形成する光学系と、
前記形成された被写体像を撮像して画像データを生成する撮像手段と、
画像を表示可能な表示手段と、
当該表示手段の表示画面上に設けられ、当該表示手段に表示された画像に対するタッチ操作を検知可能な入力検知手段と、
前記撮像された画像データが示す画像と、その画像に重畳して表示されるスライドバー画像とを前記表示手段に表示させるように制御する表示制御手段と、を備え、
前記表示手段に表示される画像は、前記撮像された画像データが示す色合いの画像を表示する第１領域と、前記撮像された画像データが示す色合いとは異なる画像を表示する第２領域と、に分けられて前記表示手段に表示され、
前記スライドバー画像は、自装置を制御するためのパラメータを前記タッチ操作により設定するために利用される画像であり、前記第２領域内に表示される、
撮像装置。
【請求項２】
前記表示制御手段は、
前記撮像された画像データが示す画像と、当該画像データが示す画像に重畳して表示されるスライドバー画像に加えて、当該画像データが示す画像に重畳して表示される退出画像と、を前記表示手段に表示させるように制御し、
前記退出画像は、前記タッチ操作によって、前記撮像された画像データが示す画像から前記スライドバー画像を一時的に非表示にするために利用される画像であり、
前記表示制御手段は、前記入力検知手段がタッチ操作を検知した場合に、前記退出画像が前記タッチ操作されたと判断すると、前記スライドバー画像を非表示とし、前記撮像された画像データが示す画像を前記表示手段に表示させるように制御する、
請求項１に記載の撮像装置。
【請求項３】
前記自装置を制御するためのパラメータは、自装置の露出制御を行なうためのパラメータである、
請求項１又は２に記載の撮像装置。
【請求項４】
前記表示制御手段は、
前記入力検知手段がタッチ操作を検知した場合に、前記スライドバー画像がタッチ操作されたと判断すると、当該タッチ操作によって設定されたパラメータを前記表示手段に表示させるように制御する、
請求項１〜３の何れか一項に記載の撮像装置。
【請求項５】
前記入力検知手段がタッチ操作を検知した場合に、前記スライドバー画像がタッチ操作されたと判断すると、当該タッチ操作によって設定されたパラメータに応じて、自装置を制御する制御手段をさらに備える、
請求項１〜４の何れか一項に記載の撮像装置。
【請求項６】
前記スライドバー画像は、前記自装置を制御するためのパラメータにおいて、設定可能な数値の内、他のパラメータとの関係によって使用できない数値が存在する場合、当該使用できない数値の範囲をスライドバー画像に明示する、
請求項１〜５の何れか一項に記載の撮像装置。
【発明の詳細な説明】
【技術分野】
【０００１】
本発明は、デジタルカメラやビデオカメラ等の撮像装置において、液晶モニタなどの表示画面上にタッチパネルを備える撮像装置に関する。より詳しくは、絞りやシャッタスピード等のパラメータを設定する際において、使用者の利便性を向上させる撮像装置に関する。
【背景技術】
【０００２】
従来技術としては、下記の特許文献１に記載されるようなものが存在する。この従来技術は、画像情報を表示するモニタ画面と、当該モニタ画面上に設けられるタッチパネルとを備える電子カメラにおいて、当該カメラの各種機能を操作するための操作スイッチを上記モニタ画面上に表示させるものである。これによって、電子カメラは、上記タッチパネルでタッチ操作を受け付け、使用者によるモニタ画面上に表示された操作スイッチへの入力操作を可能にしている。
【特許文献１】特開２００３−８９６４号公報
【発明の開示】
【発明が解決しようとする課題】
【０００３】
本発明は、タッチパネルを備える撮像装置に関して、タッチパネルに対するタッチ操作によってパラメータの設定を可能にする場合、使用者の利便性を向上できる撮像装置を提供することを目的とする。
【課題を解決するための手段】
【０００４】
すなわち、本発明は上記目的を達成するために、被写体像を形成する光学系と、前記形成された被写体像を撮像して画像データを生成する撮像手段と、画像を表示可能な表示手段と、当該表示手段の表示画面上に設けられ、当該表示手段に表示された画像に対するタッチ操作を検知可能な入力検知手段と、前記撮像された画像データが示す画像と、その画像に重畳して表示されるスライドバー画像とを前記表示手段に表示させるように制御する表示制御手段と、を備える。そして前記表示手段に表示される画像は、前記撮像された画像データが示す色合いの画像を表示する第１領域と、前記撮像された画像データが示す色合いとは異なる画像を表示する第２領域と、に分けられて前記表示手段に表示される。また、前記スライドバー画像は、自装置を制御するためのパラメータを前記タッチ操作により設定するために利用される画像であり、前記第２領域内に表示される。
【０００５】
このようにすれば、第１領域と第２領域の色合いを異なるようにすることができるので、使用者は第１領域と第２領域の区切りを判断できる。したがって、第２領域に表示されるスライドバー画像の位置を判断しやすくなる。また、第２領域は、撮像された画像データが示す色合いと異なるようにしたものであるので、使用者は、第２領域においても画像データが示す画像（スルー画像）を確認できる。
【０００６】
また、好ましくは、前記表示制御手段は、前記撮像された画像データが示す画像と、当該画像データが示す画像に重畳して表示されるスライドバー画像に加えて、当該画像データが示す画像に重畳して表示される退出画像と、を前記表示手段に表示させるように制御する。ここで前記退出画像は、前記タッチ操作によって、前記撮像された画像データが示す画像から前記スライドバー画像を一時的に非表示にするために利用される画像である。また、前記表示制御手段は、前記入力検知手段がタッチ操作を検知した場合に、前記退出画像が前記タッチ操作されたと判断すると、前記スライドバー画像を非表示とし、前記撮像された画像データが示す画像を前記表示手段に表示させるように制御する。
【０００７】
このようにすれば、退出画像をタッチ操作するだけで、スライドバー画像を非表示にすることができる。したがって、簡単な操作で、スライドバー画像が表示された画面とそれ以外の画面とを切り替えることができる。
【０００８】
さらに、好ましくは、前記自装置を制御するためのパラメータは、自装置の露出制御を行なうためのパラメータである。
【０００９】
このようにすれば、露出制御を行なうためのパラメータをスライドバー画像で設定できるようにしたので、画像データが示す画像（スルー画像）を見ながらパラメータを設定できる。これによって、使用者は露出条件を設定して直ぐに撮影動作に移ることができる。
【００１０】
加えて、好ましくは、前記表示制御手段は、前記入力検知手段がタッチ操作を検知した場合に、前記スライドバー画像がタッチ操作されたと判断すると、当該タッチ操作によって設定されたパラメータを前記表示手段に表示させるように制御する。
【００１１】
また、好ましくは、前記入力検知手段がタッチ操作を検知した場合に、前記スライドバー画像がタッチ操作されたと判断すると、当該タッチ操作によって設定されたパラメータに応じて、自装置を制御する制御手段をさらに備える。
【００１２】
さらに、好ましくは、前記スライドバー画像は、前記自装置を制御するためのパラメータにおいて、設定可能な数値の内、他のパラメータとの関係によって使用できない数値が存在する場合、当該使用できない数値の範囲をスライドバー画像に明示する。
【００１３】
このようにすれば、使用者は、スライドバー画像を見るだけで、パラメータとして設定可能な数値の内、現在使用できない数値があることを知ることができる。
【発明の効果】
【００１６】
本発明によれば、パラメータを設定するために利用されるスライドバー画像が第２領域に表示されるので、使用者はスライドバー画像の位置を判別しやすくなる。また、第２領域は、第１領域と色合いを異なるようにしたので、視認性を高めることができる。さらに、第２領域において第１領域と色合いは異なるが画像として表示するので、使用者は、撮像された画像データが示す画像をなるべく大画面で確認できる。
【発明を実施するための最良の形態】
【００１７】
（実施の形態１）
以下、本発明の一実施の形態について、図面を参照して説明する。
１．構成
図１は、本実施の形態に係るデジタルカメラ１の斜視図である。図２は、本実施の形態に係るデジタルカメラ１の背面図である。図３は、本実施の形態に係るデジタルカメラ１の構成を示すブロック図である。以下、具体的に構成を説明する。
【００１８】
光学系１１は、被写体からの光学信号を集光してＣＣＤイメージセンサー１２上に被写体像を形成する。光学系１１は、対物レンズ１１１とズームレンズ１１２とフォーカスレンズ１１３と絞り／シャッタ１１４とを含む。ズームレンズ１１２は、ズーム駆動部１１５によって駆動され、被写体像の写る範囲（画角）を調整する。フォーカスレンズ１１３は、フォーカス駆動部１１６によって駆動され、ピントの調節を行なう。ズーム駆動部１１５は、ズームレンズ１１２を移動するためのカム機構やカム機構を駆動するためのアクチュエータなどを備えて構成され、コントローラ１７からの制御に応じて、ズームレンズ１１２を駆動させる。フォーカス駆動部１１６は、ズームレンズ１１２を移動するためのカム機構やカム機構を駆動するためのアクチュエータなどを備えて構成され、コントローラ１７からの制御に応じて、フォーカスレンズ１１３を駆動させる。また、絞り／シャッタ１１４は、絞りとシャッタを兼用した部材である。絞り／シャッタ１１４は、絞り／シャッタ駆動部１１７によって駆動される。絞りは、５枚の羽根によって構成され、光学系１１を通る光の量を調整するものである。また、シャッタは、開けたり閉じられたりして、ＣＣＤイメージセンサー１２に当たる光の量を時間的に調整するものである。なお、本実施の形態では、絞りとシャッタを兼用した絞り／シャッタ１１４を備えるようにしたが、これに限られず、絞りとシャッタとを別々に設けるようにしても良い。なお、本実施の形態では、絞りの絞り値（設定可能な数値）やシャッタのシャッタスピード（設定可能な数値）は、フラッシュメモリ１６やバッファメモリ１５などの記憶媒体に記憶するようにしている。これによって、コントローラ１７は、設定可能な数値を読み出すことができる。
【００１９】
ＣＣＤイメージセンサー１２は、被写体像を撮像して画像データを生成する撮像手段である。撮像手段としては、ＣＣＤイメージセンサー１２に替えてＣＭＯＳイメージセンサー等を用いることもできる。
【００２０】
ＡＤコンバータ１３は、ＣＣＤイメージセンサー１２で生成された画像データをデジタルデータに変換する。
【００２１】
画像処理部１４は、デジタルデータに変換された画像データに対して所定の処理を施す。所定の処理としては、ガンマ変換、ＹＣ変換、電子ズーム処理、圧縮処理、伸張処理などが考えられるが、これに限定されるものではない。
【００２２】
バッファメモリ１５は、画像処理部１４で画像処理を行う際、および、コントローラ１７で制御処理を行う際に、ワークメモリとして作用する。バッファメモリ１５は、例えば、DRAMなどで実現可能である。
【００２３】
フラッシュメモリ１６は、内蔵メモリとして用いられる。フラッシュメモリ１６は、画像データの他に、コントローラ１７の制御のためのプログラムや設定値などを記憶可能である。
【００２４】
コントローラ１７は、デジタルカメラ１全体を制御するためのものである。コントローラ１７は、マイクロコンピュータで実現してもよく、ハードワイヤードな回路で実現しても良い。要するに、コントローラ１７は、自装置を制御できるものであればよい。なお、コントローラ１７の制御については、後で詳しく説明する。
【００２５】
カードスロット１８は、メモリカード１９を着脱するためのスロットである。カードスロット１８は、メモリカード１９を制御する機能を有するようにしてもよい。メモリカード１９は、フラッシュメモリ１６などを内蔵する。メモリカード１９は、画像処理部１４によって処理された画像データを格納可能である。
【００２６】
液晶モニタ２０は、画像データやデジタルカメラ１の各種設定等を表示する表示手段である。表示手段としては、液晶モニタ２０に替えて、有機ELディスプレイなどを用いることもできる。
【００２７】
タッチパネル４０は、液晶モニタ２０の表示画面上に設けられ、液晶モニタ２０によって表示された画像に対するタッチ操作を検知する入力検知手段である。このタッチパネル４０は、圧電素子を取り付けたガラス板を設ける表面弾性波方式によって実現可能である。このタッチパネル４０は、使用者が液晶モニタ２０の表示画像に対するタッチ操作を行なった場合、タッチ操作に対応する位置の情報を検知するものである。そして、タッチ操作に対応する位置情報を検知したタッチパネル４０は、この位置情報をコントローラ１７に出力する。なお、タッチパネル４０は、表面弾性波方式に替わる方式に限られず、抵抗膜を設ける抵抗膜方式を取ることができる。
【００２８】
なお本実施の形態のタッチパネル４０は、使用者がタッチ操作している状態で、タッチ操作の位置情報を逐次出力するようにする。このようにすれば、タッチ操作の開始と、タッチ操作の終了をコントローラ１７が判断できるようになる。
【００２９】
操作部２１は、デジタルカメラ１の外装に取り付けられた操作部材の総称である。操作部２１としては、十字キーや押下釦、ズームリング等が考えられる。
【００３０】
ストロボ３０は、コントローラ１７からの制御に応じて、被写体に対し光を照射するものである。これによって、暗い場所で撮影する場合または逆光で撮影する場合、内蔵フラッシュを発光させることで、適切な光が撮像素子に集光することができる。
【００３１】
次に、本実施の形態におけるコントローラ１７の各種の制御について説明する。
【００３２】
まず、コントローラ１７は、撮像された画像データが示す画像５０と、この画像データが示す画像５０に重畳して表示されるスライドバー画像６０と、この画像データが示す画像５０に重畳して表示される退出画像８０と、この画像データが示す画像５０に重畳して表示されるパラメータ表示画像７０を液晶モニタ２０に表示させるように制御する表示制御手段である。
【００３３】
ここで液晶モニタ２０に表示される画像は、撮像された画像データが示す色合いの画像を表示する第１領域５１と、撮像された画像データが示す色合いとは異なる画像を表示する第２領域５２と、に分けられて液晶モニタ２０に表示される（図４）。これによって、第１領域と第２領域の色合いを異なるようにすることができる。そのため、使用者は、第１
領域と第２領域の違いを簡単に把握できる。また、第２領域は、撮像された画像データが示す色合いと異なるようにしたものであるので、使用者は、第２領域においても画像データが示す画像（スルー画像）を確認できる。
【００３４】
また、スライドバー画像６０は、デジタルカメラ１を制御するためのパラメータをタッチ操作により設定するために利用される画像であり、第２領域５２内に表示される（図４）。コントローラ１７は、タッチパネル４０からタッチ操作の位置情報が入力され、スライドバー画像６０がタッチ操作されたと判断した場合、タッチ操作によって設定されたパラメータの数値をパラメータ表示画像７０として表示させる（図５）。これによって、使用者は、設定されたパラメータ（数値）を確認することができる。ここでスライドバー画像６０のバーがタッチ操作された状態で移動される場合、この液晶モニタ２０に表示されたパラメータ表示画像７０の数値を変更できるようにするとよい（図６）。このようにすれば、使用者は、当該スライドバー画像６０のバーをタッチ操作によって移動させている際も、パラメータがどの値に設定されているか確認することができる。
【００３５】
さらに、退出画像８０は、タッチ操作によって、画像データが示す画像５０からスライドバー画像６０を一時的に非表示するために利用される画像である（図４）。コントローラ１７は、タッチパネル４０からタッチ操作の位置情報が入力され、退出画像８０がタッチ操作されたと判断すると、撮像された画像データが示す色合いの画像を液晶モニタ２０に表示させるように制御する（図７）。この際、スライドバー画像６０の非表示を解除するための解除画像９０を、液晶モニタ２０に表示させるように制御する。解除画像９０には、スライドバー画像６０で設定されるパラメータとして現在設定されているパラメータ（数値）が表示されている。これによって、デジタルカメラ１では、この解除画像９０がタッチ操作されると、画像データが示す画像５０と、この画像に重畳されて表示されるスライドバー画像６０とを液晶モニタ２０に再び表示させることができる。
【００３６】
なお、パラメータについては、デジタルカメラ１を制御するために利用されるものであればどのようなものであってもよい。例えば、デジタルカメラ１の露出制御を行なうためのパラメータが好ましい。この露出制御を行なうためのパラメータとは、絞りやシャッタスピード、露出（Ｅｖ）、ＩＳＯ感度などが考えられるがこれに限られない。このような露出制御のパラメータに用いれば、撮影画面を見ながらパラメータが設定できるため、使用者は容易に撮影条件の設定を行なうことができる。また、タッチ操作の位置情報に応じて設定されるパラメータは、特に限定されないが、例えば、図４のようなスライドバー画像６０で絞り値（Ｆ２．８、Ｆ４．０、Ｆ５．６、Ｆ８．０）を設定する場合、図４のスライドバー画像６０の左から、Ｆ２．８、Ｆ４．０、Ｆ５．６、Ｆ８．０に対応して設定できるようにすればよい。この場合、スライドバー画像６０を４等分した各領域が、各々の絞り値に対応する。
【００３７】
さらに、図４のようなスライドバー画像６０では、シャッタスピードの関係によって、絞り値（Ｆ２．８、Ｆ４．０、Ｆ５．６、Ｆ８．０）の内、例えば、Ｆ２．８が使用（設定）できない場合、当該Ｆ２．８に対応するスライドバー画像６０の位置を明示（図８のようにスライドバー画像の一部をグレー表示）するとよい。このようにすれば、使用者は、スライドバー画像６０を見るだけで、設定可能な数値の内、現在は使用できない絞り値があることを知ることができる。そのため、使用者はデジタルカメラ１のパラメータの設定可能範囲を簡単に判断できるようになる。この場合、使用者はこのデジタルカメラ１の最も絞りを開放した状態で撮影したいと思った時に、現在使用できる絞り値で設定してしまって、最も絞りが開放した状態でないといったことを防止できる。
【００３８】
また、コントローラ１７は、タッチパネル４０がタッチ操作を検知した場合に、スライドバー画像６０がタッチ操作されたと判断すると、このタッチ操作によって設定されたパラメータに応じて、デジタルカメラ１を制御する制御手段である。すなわち、コントローラ１７は、タッチパネル４０からタッチ操作の位置情報が入力された場合であって、スライドバー画像６０がタッチ操作されたと判断した場合、このタッチ操作によって設定されたパラメータ（例えば、絞り値Ｆ８．０など）を、絞り／シャッタ駆動部１１７に出力する。これによって、絞り／シャッタ駆動部１１７に設定されたパラメータ（絞り）を設定できる。そして絞り／シャッタ駆動部１１７は、設定されたパラメータ（絞り）で絞り／シャッタ１１４を駆動できるようになる。なお、制御手段は、絞り値やＩＳＯ感度など、他のパラメータに応じて、デジタルカメラ１を制御するものであってもよい。
【００３９】
なおスライドバー画像６０や退出画像８０、解除画像９０、パラメータ表示画像７０などの画像は、フラッシュメモリ１６、メモリカード１９などの記憶媒体に記憶しておくとよい。これによってコントローラ１７は、記憶媒体からこれらの画像を読み出すことで、上記の画像の表示が可能になる。
【００４０】
２．動作
次に、このように構成されたデジタルカメラ１の動作について図９のフローチャートを用いて説明する。このデジタルカメラ１は、「撮影モード」「再生モード」を備えている。以下の処理は、このモードが「撮影モード」に変更された場合に処理を開始するものである。
【００４１】
まず、コントローラ１７は、液晶モニタ２０に図１０（ａ）の表示画面を表示させる。そしてコントローラ１７は「Ａモード」、「Ｓモード」、「Ｍモード」(以下、「Ａ，Ｓ，Ｍモード」)のいずれかのモードが選択され、これらのモードに突入されたか否かを判断する（Ｓ１）。
【００４２】
一方、コントローラ１７は、「Ａ，Ｓ，Ｍモード」が選択されていない場合、ステップS１の処理を繰り返す。なお、他のモードが選択された場合は、他のフローに移行するが、本発明とは関係ないため、省略する。
【００４３】
図９に戻って、コントローラ１７によって「Ａ，Ｓ，Ｍモード」が選択されたと判断すると、液晶モニタ２０に画像データの示す画像と、図１０（ｂ），（ｃ），（ｄ）のように各モードに応じたスライドバー画像６０とを表示する（Ｓ２）。以下では、図１０（ａ）において、「Mモード」が選択された場合の例を説明する。ここでステップＳ２において、液晶モニタ２０に表示される画像は、撮像された画像データが示す色合いの画像を表示する第１領域５１と、撮像された画像データが示す色合いの画像を表示する第２領域５２と、に分けられて表示される。また、スライドバー画像６０は、第２領域５２内に表示される。
【００４４】
次に、コントローラ１７は、スライドバー画像６０に対するタッチ操作を受け付ける。（Ｓ３）コントローラ１７は、スライドバー画像６０に対するタッチ操作が開始された場合、タッチ操作の位置情報に基づいて、図５のように、パラメータ表示画像７０の数値を変更する（Ｓ４）。そして、コントローラ１７は、タッチ操作が終了したか否かを判断する（Ｓ５）。タッチ操作が継続して行なわれている場合、タッチ操作によって設定されたパラメータ（数値）を、図６のように、パラメータ表示画像７０に変更して表示させる（Ｓ４）。したがって、使用者によってタッチパネル４０がタッチ操作されている間は、スライドバー画像６０のバーが移動された場合、パラメータ表示画像７０を連続して変更される。
【００４５】
一方、コントローラ１７がタッチ操作の終了を判断した場合、コントローラ１７は、タッチ操作によって設定されたパラメータ（例えば、絞り値）を、絞り／シャッタ駆動部１１７に出力する（Ｓ６）。これによって、設定されたパラメータによる絞りの変更が可能となる。ステップＳ６が終了すると、ステップＳ３に戻る。
【００４６】
ここで、図９のフローチャートには、図示しないが、ステップＳ２以降の所望のタイミングで、退出画像８０がタッチ操作されると、コントローラ１７は、図７のような表示画像を液晶モニタ２０に表示させる。そして図７の解除画像９０がタッチ操作されると、コントローラ１７は、ステップＳ２に移行し、画像データが示す画像５０と、スライドバー画像６０とを液晶モニタ２０に表示させる。ここで解除画像９０は、現在設定されているパラメータが表示されている。このため、使用者は、パラメータの設定画面以外でも、現在設定されているパラメータを確認できる。
【００４７】
これによって、使用者は、撮像された画像データが示す画像５０をより大画面で確認しながら、絞りやシャッタスピードなどのパラメータを設定できるようになる。
【００４８】
３．まとめ
上述のように、実施の形態１のデジタルカメラ１によれば、被写体像を形成する光学系１１と、形成された被写体像を撮像して画像データを生成するＣＣＤイメージセンサー１２と、画像を表示可能な液晶モニタ２０と、液晶モニタ２０の表示画面上に設けられるタッチパネル４０と、撮像された画像データが示す画像５０と、その画像に重畳して表示されるスライドバー画像６０とを液晶モニタ２０に表示させるように制御するコントローラ１７と、を備える。そして、表示手段に表示される画像５０は、前記撮像された画像データが示す色合いの画像を表示する第１領域５１と、前記撮像された画像データが示す色合いとは異なる画像を表示する第２領域５２と、に分けられて液晶モニタ２０に表示される。
【００４９】
また、スライドバー画像６０は、デジタルカメラ１を制御するためのパラメータをタッチ操作により設定するために利用される画像であり、第２領域５２内に表示される。
【００５０】
したがって、第１領域と第２領域の色合いを異なるようにすることができるので、使用者は第１領域と第２領域の区切りを判断できる。そのため、第２領域に表示されるスライドバー画像の位置を判断しやすくなる。また、第２領域は、撮像された画像データが示す色合いと異なるようにしたものであるので、使用者は、第２領域においても画像データが示す画像（スルー画像）を確認できる。そのため、使用者はより大画面でスルー画像を確認でき、パラメータを設定できるスライドバー画像の位置も判別しやすくなる。要するに、実施の形態１によれば、使用者の利便性を向上することができる。
（実施の形態２）
実施の形態２について説明する。この実施の形態２は、実施の形態１と同様の構成で実現できる。したがって、構成が異なる部分のみを説明する。
【００５１】
実施の形態２におけるコントローラ１７ａは、撮像された画像データが示す画像５０ａ
と、その画像に重畳して表示されるスライドバー画像６０ａとを液晶モニタ２０ａに表示させるように制御する第１の表示制御手段である。ここでスライドバー画像６０ａは、自装置を制御するためのパラメータをタッチ操作により設定するために利用される画像である。ここで、第１の表示制御手段によって表示される画像は、例えば、上記実施の形態１で説明した、図１１（ｅ）のような画像データが示す画像５０ａと、スライドバー画像６０ａとを表示する表示画像である。
【００５２】
また、コントローラ１７ａは、タッチパネル４０ａがタッチ操作を検知した場合に、スライドバー画像６０ａがタッチ操作されたと判断すると、当該入力検出手段が検出した位置の情報に応じて、前記撮像された画像データが示す画像５０ａと、その画像に重畳して表示されるパラメータ設定用画像１００ａとを液晶モニタ２０ａに表示させるように制御する第２の表示制御手段である。ここでパラメータ設定用画像１００ａは、パラメータとして設定可能な数値の内、スライドバー画像６０ａに対するタッチ操作に応じた、一又は複数の数値を表示させるための画像である。
【００５３】
具体的に説明する。コントローラ１７ａは、スライドバー画像６０ａがタッチ操作されたと判断すると、タッチ操作の位置情報に応じたパラメータを判断する。例えば、上記「タッチ操作の位置情報に応じて設定されるパラメータで説明した方法」と同様の方法で判断できる。従って、例えば、スライドバー画像６０ａが絞り値（Ｆ２．８、Ｆ４．０、Ｆ５．６、Ｆ８．０）に対応している場合であって、絞り値のＦ４．０がタッチ操作されたと判断する。
【００５４】
次に、コントローラ１７ａは、パラメータ設定用画像１００ａに用いられる数値を選択する。この際、パラメータとして設定可能な数値（絞り値）は、上記の４つである。この中から、一または複数の数値を選択する。例えば、Ｆ４．０が選択されたため、Ｆ２．８と、Ｆ５．６を選択する。
【００５５】
そしてコントローラ１７ａは、選択された数値（Ｆ２．８、Ｆ４．０、Ｆ５．６）を、画像データが示す画像５０ａに重畳して表示させる（図１１（ｆ））。これによって、パラメータ設定用画像１００ａが表示できるようになる。このようにすれば、使用者は、詳細な数値を選択して、パラメータを決定できる（図１１（ｇ））。なおコントローラ１７は、選択された数値の内、シャッタスピードの関係によって、デジタルカメラ１に設定できない数値がある場合、その数値を明示するように表示する。例えば、図１２（ｈ）のように、設定できない数値を、他の数値と色合いを変えて表示すると良い。
【００５６】
さらに、コントローラ１７ａは、タッチパネル４０ａがタッチ操作を検知した場合に、表示されたパラメータ設定用画像１００ａがタッチ操作されたと判断すると、当該タッチ操作で設定されたパラメータに応じて、自装置を制御する制御手段である。すなわち、コントローラ１７ａは、タッチパネル４０ａからタッチ操作の位置情報が入力された場合であって、スライドバー画像６０ａがタッチ操作されたと判断した場合、このタッチ操作によって設定されたパラメータ（例えば、絞り値Ｆ５．６）を、絞り／シャッタ駆動部１１７ａに出力する。これによって、絞り／シャッタ駆動部１１７ａに使用者によって設定されたパラメータ（絞り）を設定できる。
２．動作
次に、このように構成された装置の動作について図１３のフローチャートを用いて説明する。このデジタルカメラ１ａは、「撮影モード」「再生モード」を備えている。以下の処理は、このモードが「撮影モード」に変更された場合に処理を開始するものである。
【００５７】
ステップＴ１とＴ２は、ステップＳ１とＳ２と同様の処理であるため、説明を省略する。したがって、ステップＴ３から説明する。
【００５８】
次に、コントローラ１７ａは表示されているスライドバー画像６０ａが使用者によりタッチ操作されたか否かを判断する。（Ｔ３）。
【００５９】
そしてコントローラ１７ａは、スライドバー画像６０ａ(シャッタスピード、絞り値)にタッチ操作されたと判断した場合（例えば、図１１（ｅ）)でF値のスライドバー画像６０がタッチ操作された場合）、タッチ操作されたスライドバー画像６０ａに対応するパラメータと、その周辺のパラメータをパラメータ設定用画像１００ａ（図１１（ｆ））として表示する（Ｔ４）。
【００６０】
一方、コントローラ１７ａがスライドバー画像６０ａをタッチ操作していない場合、ステップＴ３を繰り返す。
【００６１】
次に、コントローラ１７ａはパラメータ設定用画像１００ａが使用者によってタッチ操作されたか否かを判断する（Ｔ５）。コントローラ１７ａは、パラメータ設定用画像１００ａがタッチ操作されたと判断した場合（例えば、図１１(ｇ)でF値のパラメータ設定用画像１００ａがタッチ操作された場合）、タッチ操作に対応する値(絞り値)を絞り／シャッタ駆動部１１７ａに出力する（Ｔ６）。これによって、設定されたパラメータによって絞りの絞り値が設定できる。一方、コントローラ１７ａは、パラメータ設定用画像１００ａがタッチ操作されない場合、ステップＴ５を繰り返す。
【００６２】
そしてステップＴ６が終了すると、ステップＴ３に戻る。
【００６３】
３．まとめ
上述のように、実施の形態２のデジタルカメラ１ａによれば、被写体像を形成する光学系１１ａと、形成された被写体像を撮像して画像データを生成するＣＣＤイメージセンサー１２ａと、画像を表示可能な液晶モニタ２０ａと、液晶モニタ２０ａの表示画面上に設けられるタッチパネル４０ａと、撮像された画像データが示す画像５０ａと、その画像に重畳して表示されるスライドバー画像６０ａとを液晶モニタ２０ａに表示させるように制御するコントローラ１７ａと、タッチパネル４０ａがタッチ操作を検知した場合に、表示されたスライドバー画像６０ａがタッチ操作されたと判断すると、タッチパネル４０ａが検出した位置の情報に応じて、撮像された画像データが示す画像５０ａと、その画像に重畳して表示されるパラメータ設定用画像１００ａとを液晶モニタ２０ａに表示させるように制御するコントローラ１７ａと、タッチパネル４０ａがタッチ操作を検知した場合に、表示されたパラメータ設定用画像１００ａがタッチ操作されたと判断すると、タッチ操作で設定されたパラメータに応じて、デジタルカメラ１ａを制御するコントローラ１７ａと、
を備える。
【００６４】
そしてスライドバー画像６０ａは、デジタルカメラ１ａを制御するためのパラメータをタッチ操作により設定するために利用される画像である。また、パラメータ設定用画像１００ａは、パラメータとして設定可能な数値の内、スライドバー画像６０ａに対するタッチ操作に応じた、一又は複数の数値を表示させるための画像である。
【００６５】
したがって、パラメータとして設定可能な複数の数値が、パラメータ設定用画像として表示されるので、タッチパネルへのタッチ操作によるパラメータの設定が容易になる。
（他の実施の形態）
本発明の実施の形態として、実施の形態１および２を例示した。しかし、本発明は、実施の形態１や２に限定されず、他の実施の形態においても実現可能である。そこで、本発明の他の実施の形態を以下まとめて説明する。
【００６６】
実態の形態１や２では、モード突入時（Ｓ１）において、「Mモード」を例に取り、撮影パラメータの設定を行なうようにしたが、これに限られない。例えば、「Aモード」であれば、設定できるパラメータは絞り値と露出値、「Sモード」であればシャッタスピードと露出値というようにモードに応じてそのモードの特性を活かした撮影パラメータを設定することが可能である。このようにすれば、使用者が所望するシーンに適したモードを選択することが可能である。
【００６７】
実施の形態１や２では、光学系１１として、対物レンズ、ズームレンズ、フォーカスレンズ、絞り／シャッタを含む構成で説明した。しかしながら光学系は、これに限られず、少なくともレンズを備える構成であればどのような構成であってもよい。
【００６８】
実施の形態１では、撮像手段としてＣＣＤイメージセンサー１２を例示した。また、ＣＣＤイメージセンサーに替えて、ＣＭＯＳイメージセンサーを用いてもよいことを説明した。このように、この撮像手段としてＣＭＯＳイメージセンサーを用いると、消費電力を低減できる。
【００６９】
実施の形態１や２では、スライドバー画像６０、６０ａを、絞りを設定するための画像として用いた。しかしスライドバー画像は、これに限られない。すなわち、撮像された画像データ５０、５０ａ（スルー画像）が表示されている際に、設定できるものであれば、どのようなパラメータであってもよい。例えば、ホワイトバランス、ズーム倍率、ＩＳＯ感度、露出値、撮影画像の画素などが考えられる。
【００７０】
実施の形態１では、スライドバー画像５０を、第１領域５１と第２領域５２とを設けるように構成した。しかしスライドバー画像は、これに限られず、少なくとも第１領域と第２領域を設けるものであってもよい。この場合、例えば、第３領域を設けて、この第３領域にパラメータの設定状況を並べるようにする。そして第３領域は、撮像された画像データの色合いを、第１や第２領域と異なった色合いにするとよい。このようにすれば、現在設定されているパラメータの情報を第１や第２領域とは色合いが異なる領域に集めたので、使用者はパラメータの確認を簡単にできるようになる。
【００７１】
実施の形態１や２では、タッチパネル４０に対するタッチ操作を、タッチ操作開始からタッチ操作終了まで判断できるようにしたが、これに限られない。例えば、タッチパネルは、使用者がタッチ操作したときのみを検知するようにしてもよい。
【００７２】
実施の形態１では、パラメータにおいて設定できない数値がある場合、スライドバー画像の一部をグレー表示にして使用者に明示するようにした。しかしこれに限られず、スライドバー画像の対象から外すようにしてもよい。例えば、絞り（Ｆ２．８、Ｆ４．０、Ｆ５．６、Ｆ８）に関するスライドバー画像である場合であって、絞り（Ｆ２．８）が使用できなくなった場合、スライドバー画像を絞り（Ｆ４．０、Ｆ５．６、Ｆ８．０）に対応させればよい。この場合、スライドバー画像は、３等分の領域に分割され、各々の領域に絞り値が対応付けられる。
【００７３】
すなわち、本発明は上記実施の形態に限られず種々の態様で実現可能である。
【産業上の利用可能性】
【００７４】
本発明は、表示画面上にタッチパネルを備える撮像装置に適用可能である。具体的には、表示画面上にタッチパネルを備えるデジタルスチルカメラ、ビデオカメラ、カメラ付き携帯端末等に利用できる。
【図面の簡単な説明】
【００７５】
【図１】本発明の実施の形態１に係るデジタルカメラの斜視図
【図２】本発明の実施の形態１に係るデジタルカメラの背面図
【図３】本発明の実施の形態１に係るデジタルカメラの構成を示すブロック図
【図４】本発明の実施の形態１に係るデジタルカメラの表示画面例を示す図
【図５】本発明の実施の形態１に係るデジタルカメラの表示画面例を示す図
【図６】本発明の実施の形態１に係るデジタルカメラの表示画面例を示す図
【図７】本発明の実施の形態１に係るデジタルカメラの表示画面例を示す図
【図８】本発明の実施の形態１に係るデジタルカメラの表示画面例を示す図
【図９】本発明の実施の形態１に係るデジタルカメラの動作例を説明するためのフローチャート
【図１０】本発明の実施の形態１に係るデジタルカメラの表示画面の遷移を説明するための図
【図１１】本発明の実施の形態２に係るデジタルカメラの表示画面例を説明するための図
【図１２】本発明の実施の形態２に係るデジタルカメラの表示画面例の遷移を説明するための図
【図１３】本発明の実施の形態２に係るデジタルカメラの動作例を説明するためのフローチャート
【符号の説明】
【００７６】
１    デジタルカメラ
１１    光学系
１１４    絞り／シャッタ
１１７，１１７ａ    絞り／シャッタ駆動部
１２    ＣＣＤイメージセンサー
１３    ＡＤコンバータ
１４    画像処理部
１５    バッファメモリ
１６    フラッシュメモリ
１７、１７ａ    コントローラ
１８    カードスロット
１９    メモリカード
２０、２０ａ    液晶モニタ
４０、４０ａ    タッチパネル
５０、５０ａ    画像データが示す画像
５１    第１領域
５２    第２領域
６０、６０ａ    スライドバー画像
７０    パラメータ表示画像
８０    退出画像
９０    解除画像
１００ａ    パラメータ設定用画像
【図１】
0005040753.tif 000002
【図２】
0005040753.tif 000003
【図３】
0005040753.tif 000004
【図４】
0005040753.tif 000005
【図５】
0005040753.tif 000006
【図６】
0005040753.tif 000007
【図７】
0005040753.tif 000008
【図８】
0005040753.tif 000009
【図９】
0005040753.tif 000010
【図１０】
0005040753.tif 000011
【図１１】
0005040753.tif 000012
【図１２】
0005040753.tif 000013
【図１３】
0005040753.tif 000014